(57)【要約】【課題】ユーザーによる入力欄３４への入力を支援しつつ、入力欄３４に関する表示のために要求されるデータのデータ量を削減できる画像形成装置２を提供する。【解決手段】画像形成装置２は、表示部２４と、入力部２６と、計数部２８と、選択部３０と、表示制御部３２とを備える。表示部２４は、複数の入力欄３４を含む入力画面ＳＣを表示する。入力部２６は、複数の入力欄３４の各々への情報の入力をユーザーから受け付ける。計数部２８は、複数の入力欄３４ごとに、情報の入力不備の発生回数を計数する。選択部３０は、入力欄３４ごとの入力不備の発生回数に基づいて、複数の入力欄３４のうちから、表示を制御する入力欄３４を選択する。表示制御部３２は、選択部３０によって選択された入力欄３４に新たに情報が入力される前に、選択部３０によって選択された入力欄３４に関する表示を制御するように、表示部２４を制御する。【選択図】図２
2020107048.tif 000002
【特許請求の範囲】
【請求項１】
シートに画像を形成する画像形成装置であって、
複数の項目にそれぞれ対応する複数の入力欄を含む入力画面を表示する表示部と、
前記複数の入力欄の各々への情報の入力をユーザーから受け付ける入力部と、
前記複数の入力欄ごとに、前記情報の入力不備の発生回数を計数する計数部と、
前記入力欄ごとの前記入力不備の発生回数に基づいて、前記複数の入力欄のうちから、表示を制御する前記入力欄を選択する選択部と、
前記選択部によって選択された前記入力欄に新たに情報が入力される前に、前記選択部によって選択された前記入力欄に関する表示を制御するように、前記表示部を制御する表示制御部と
を備える、画像形成装置。
【請求項２】
前記選択部は、前記複数の入力欄のうち、前記入力不備の発生回数が相対的に多い入力欄を選択する、請求項１に記載の画像形成装置。
【請求項３】
前記選択部は、前記複数の入力欄のうち、前記入力不備の発生回数が最も多い入力欄を選択する、請求項１または請求項２に記載の画像形成装置。
【請求項４】
前記表示制御部は、前記選択部によって選択された前記入力欄に新たに情報が入力される前に、前記選択部によって選択された前記入力欄を、他の前記入力欄よりも強調して表示するように、前記表示部を制御する、請求項１から請求項３のいずれか１項に記載の画像形成装置。
【請求項５】
前記表示制御部は、前記選択部によって選択された前記入力欄に新たに情報が入力される前に、前記選択部によって選択された前記入力欄に過去に正しく入力された直近の情報を、前記選択部によって選択された前記入力欄に付随して表示するように、前記表示部を制御する、請求項１から請求項４のいずれか１項に記載の画像形成装置。
【請求項６】
前記表示制御部は、前記選択部によって選択された前記入力欄に新たに情報が入力される前に、過去に入力不備の多かった前記入力欄であることを示すメッセージを、前記選択部によって選択された前記入力欄に付随して表示するように、前記表示部を制御する、請求項１から請求項４のいずれか１項に記載の画像形成装置。
【請求項７】
記憶部をさらに備え、
前記計数部は、
前記複数の入力欄ごとに判定処理を実行する第１判定部と、
前記複数の入力欄ごとに判定処理を実行する第２判定部と、
前記複数の入力欄にそれぞれ対応する複数のカウンターと
を含み、
前記第１判定部は、
前記入力欄に入力された前記情報が、前記入力欄に関連付けられた入力条件を満足するか否かを判定し、
前記入力欄に入力された前記情報が、前記入力条件を満足しないと判定したときに、前記入力条件を満足しない前記情報を記憶するように、前記記憶部を制御し、
前記第２判定部は、
前記入力条件を満足しない前記情報が前記記憶部に記憶された後に、前記入力欄に入力された情報が、前記入力条件を満足すると判定されたときに、前記入力条件を満足する前記情報と前記入力条件を満足しない前記情報とが一致するか否かを判定し、
前記入力条件を満足する前記情報と前記入力条件を満足しない前記情報とが一致しないと判定されたときに、前記入力欄に対応する前記カウンターの計数値が所定値だけ増加するように、前記カウンターを制御し、
前記カウンターの前記計数値は、前記入力欄に対する前記入力不備の発生回数を示す、請求項１から請求項６のいずれか１項に記載の画像形成装置。
【請求項８】
前記第２判定部は、候補情報を記憶するように前記記憶部を制御し、
前記候補情報は、前記複数の入力欄の各々に入力されている前記情報が前記入力条件を満足しているときに、前記複数のカウンターのうち最も大きな前記計数値を有するカウンターに対応する前記入力欄に入力されている前記情報を示し、
前記選択部は、前記複数の入力欄のうち、前記最も大きな計数値を有する前記カウンターに対応する前記入力欄を選択し、
前記表示制御部は、前記選択部によって選択された前記入力欄に新たに情報が入力される前に、前記選択部によって選択された前記入力欄に付随して前記候補情報を表示するように、前記表示部を制御する、請求項７に記載の画像形成装置。
【発明の詳細な説明】
【技術分野】
【０００１】
本発明は、画像形成装置に関する。
【背景技術】
【０００２】
特許文献１に記載された書類作成支援システムは、個人データ取得手段と、共用データ取得手段と、記入例提示手段とを備える。記入例提示手段は、今回書類を作成するユーザーが入力欄に入力すべき入力内容の例として、個人データ取得手段により取得された個人データに示される既入力内容、及び共用データ取得手段により取得された共用データに示される既入力内容を入力用画面において提示する。その結果、ユーザーによる書類の作成を支援できる。
【先行技術文献】
【特許文献】
【０００３】
【特許文献１】特開２０１２−１４６１０号公報
【発明の概要】
【発明が解決しようとする課題】
【０００４】
しかしながら、特許文献１に記載された書類作成支援システムでは、入力欄に、過去のすべての入力事例を表示する。従って、過去のすべての入力事例を記憶することが要求され、記憶すべきデータ量が大きくなる。すなわち、入力欄に関する表示のために、大きなデータ量のデータを記憶することが要求される。
【０００５】
特に、シートに画像を形成する画像形成装置（例えば、複合機）は、多数の機能を有し、多数の機能ごとに、多数の設定すべき項目が存在する。従って、ユーザーは、多数の項目ごとに情報を入力することが要求される。その結果、画像形成装置では、入力事例が膨大であり、入力欄に関する表示のために、膨大なデータ量のデータを記憶することが要求されるという課題があった。
【０００６】
本発明は上記課題に鑑みてなされたものであり、ユーザーによる入力欄への入力を支援しつつ、入力欄に関する表示のために要求されるデータのデータ量を削減できる画像形成装置を提供することを目的とする。
【課題を解決するための手段】
【０００７】
本発明の一局面によれば、画像形成装置は、シートに画像を形成する。画像形成装置は、表示部と、入力部と、計数部と、選択部と、表示制御部とを備える。前記表示部は、複数の項目にそれぞれ対応する複数の入力欄を含む入力画面を表示する。前記入力部は前記複数の入力欄の各々への情報の入力をユーザーから受け付ける。前記計数部は、前記複数の入力欄ごとに、情報の入力不備の発生回数を計数する。前記選択部は、前記入力欄ごとの前記入力不備の発生回数に基づいて、前記複数の入力欄のうちから、表示を制御する入力欄を選択する。前記表示制御部は、前記選択部によって選択された前記入力欄に新たに情報が入力される前に、前記選択部によって選択された前記入力欄に関する表示を制御するように、前記表示部を制御する。
【発明の効果】
【０００８】
本発明によれば、ユーザーによる入力欄への入力を支援しつつ、入力欄に関する表示のために要求されるデータのデータ量を削減できる画像形成装置を提供できる。
【図面の簡単な説明】
【０００９】
【図１】本発明の実施形態に係る画像形成装置を示す図である。
【図２】本実施形態に係る画像形成装置の構成を示す図である。
【図３】本実施形態に係る画像形成装置の表示部に表示された入力画面を示す図である。
【図４】（ａ）は、本実施形態に係る画像形成装置の表示部に表示された入力画面を示す図であり、（ｂ）は、本実施形態に係る画像形成装置の記憶部を示す図である。
【図５】本実施形態に係る画像形成装置のカウンターを示す図である。
【図６】（ａ）は、本実施形態に係る画像形成装置の表示部に表示された入力画面を示す図であり、（ｂ）は、本実施形態に係る画像形成装置の記憶部を示す図である。
【図７】（ａ）は、本実施形態に係る画像形成装置の表示部に表示された入力画面を示す図であり、（ｂ）は、本実施形態に係る画像形成装置の記憶部を示す図である。
【図８】本実施形態に係る画像形成装置のカウンターを示す図である。
【図９】本実施形態に係る画像形成装置の表示部に表示された入力画面を示す図である。
【図１０】本実施形態に係る画像形成装置の動作の一部を示すフローチャートである。
【図１１】本実施形態に係る画像形成装置の動作の他の一部を示すフローチャートである。
【図１２】本実施形態に係る画像形成装置の動作のさらに他の一部を示すフローチャートである。
【発明を実施するための形態】
【００１０】
以下、本発明の実施形態について、図面を参照しながら説明する。なお、図中、同一または相当部分については同一の参照符号を付して説明を繰り返さない。
【００１１】
まず、図１を参照して、本発明の実施形態に係る画像形成装置２の構成について説明する。図１は、画像形成装置２を示す図である。画像形成装置２はシートＳに画像を形成する。図１に示すように、画像形成装置２は、原稿搬送装置８と、読取部６と、給送部１４と、搬送部１６と、画像形成部４と、定着部１８と、排出部１９と、表示操作部１０と、制御部１２と、記憶部３９とを備える。
【００１２】
画像形成装置２は、例えば、複写機、プリンター、ファクシミリ、またはこれらの機能を兼ね備えた複合機である。以下の明細書では、例えば、画像形成装置２が電子写真方式の複合機である場合について説明する。画像形成装置２は、ネットワークを介して外部端末との間で通信可能に接続される。ネットワークは、例えば、インターネット、ＬＡＮ（Ｌｏｃａｌ  Ａｒｅａ  Ｎｅｔｗｏｒｋ）、及びＷＡＮ（Ｗｉｄｅ  Ａｒｅａ  Ｎｅｔｗｏｒｋ）を含む。
【００１３】
原稿搬送装置８は、原稿Ｇを読取部６に搬送する。原稿搬送装置８は、原稿トレイ２０を含む。原稿トレイ２０には、原稿Ｇが載置される。原稿搬送装置８は、例えば、ＡＤＦ（Ａｕｔｏ  Ｄｏｃｕｍｅｎｔ  Ｆｅｅｄｅｒ）である。
【００１４】
読取部６は、原稿搬送装置８が搬送した原稿Ｇから画像を読み取る。読取部６は、読み取った画像から画像データを生成する。読取部６は、ＣＩＳ（Ｃｏｎｔａｃｔ  Ｉｍａｇｅ  Ｓｅｎｓｏｒ）方式またはＣＣＤ（Ｃｈａｒｇｅ  Ｃｏｕｐｌｅｄ  Ｄｅｖｉｃｅｓ）方式のスキャナーである。
【００１５】
給送部１４は、シートＳを収容し、搬送部１６へシートＳを給送する。シートＳは、例えば、紙製または合成樹脂製のシートである。搬送部１６は、複数の搬送ローラー対を含み、画像形成部４にシートＳを搬送する。
【００１６】
画像形成部４は、シートＳに画像を形成する。具体的には、画像形成部４は、感光体ドラムと、帯電装置と、露光装置と、現像装置と、転写装置と、クリーニング装置と、除電装置とを含む。
【００１７】
定着部１８は、シートＳを加熱及び加圧し、シートＳに形成された画像をシートＳに定着させる。排出部１９は、シートＳを画像形成装置２の外部に排出する。
【００１８】
表示操作部１０は、ユーザーに情報を表示し、または、ユーザーが入力した情報を制御部１２に出力する。具体的には、表示操作部１０は、表示部２４と、入力部２６とを含む。表示部２４は、例えば、ＬＣＤ（Ｌｉｑｕｉｄ  Ｃｒｙｓｔａｌ  Ｄｉｓｐｌａｙ）のようなディスプレーであり、種々の画像を表示する。また、表示部２４は、タッチパネル機能を有しており、タッチセンサーを含む。タッチパネル機能を有する表示部２４は、入力部２６の一部を構成する。入力部２６は、情報を入力可能な複数のハードウェアボタンを含む。
【００１９】
記憶部３９は、記憶装置を含み、データ及びコンピュータープログラムを記憶する。具体的には、記憶部３９は、半導体メモリーのような主記憶装置、並びに、半導体メモリー及び／またはハードディスクドライブのような補助記憶装置を含む。
【００２０】
制御部１２は、画像形成装置２の各部の動作を制御する。具体的には、制御部１２は、ＣＰＵ（Ｃｅｎｔｒａｌ  Ｐｒｏｃｅｓｓｉｎｇ  Ｕｎｉｔ）のようなプロセッサーを含む。そして、制御部１２のプロセッサーは、記憶部３９の記憶装置に記憶されたコンピュータープログラムを実行することによって、画像形成装置２の各部の動作を制御する。
【００２１】
次に、図２を参照して、画像形成装置２の構成を説明する。図２は、画像形成装置２の構成を示す図である。図２に示すように、画像形成装置２の表示部２４は、入力画面ＳＣを表示する。入力画面ＳＣは複数の入力欄３４を含む。複数の入力欄３４は、それぞれ、複数の項目に対応する。複数の項目の各々は、画像形成装置２の各種機能に対する設定項目を示す。入力部２６は、複数の入力欄３４の各々への情報の入力をユーザーから受け付ける。
【００２２】
入力欄３４ごとに、入力欄３４に対して入力条件が関連付けられている。つまり、複数の入力条件が、それぞれ、複数の入力欄３４に関連付けられている。入力条件は、入力欄３４に入力される情報に要求される条件を示す。
【００２３】
入力欄３４の数は、特に限定されず、２以上であればよい。本実施形態では、一例として、入力画面ＳＣは、３つの入力欄３４を含む。以下、３つの入力欄３４のうち、１つの入力欄３４を入力欄３４Ａと記載し、他の１つの入力欄３４を入力欄３４Ｂと記載し、さらなる他の１つの入力欄３４を入力欄３４Ｃと記載する場合がある。
【００２４】
画像形成装置２の制御部１２は、計数部２８と、選択部３０と、表示制御部３２とを含む。具体的には、制御部１２のプロセッサーが、記憶部３９の記憶装置に記憶されたコンピュータープログラムを実行することによって、計数部２８、選択部３０、及び表示制御部３２として機能する。
【００２５】
計数部２８は、複数の入力欄３４ごとに、情報の入力不備の発生回数を計数する。
【００２６】
本実施形態では、計数部２８は、最新の入力画面ＳＣの入力欄３４に入力されている情報が入力条件を満足し、前回の入力画面ＳＣの入力欄３４に入力されていた情報が入力条件を満足していない場合において、最新の入力画面ＳＣの入力欄３４に入力されている情報と、前回の入力画面ＳＣの入力欄３４に入力されていた情報とが一致しない場合に、入力欄３４に入力不備が発生したことを決定する。
【００２７】
選択部３０は、入力欄３４ごとの入力不備の発生回数に基づいて、複数の入力欄３４のうちから、表示を制御する入力欄３４を選択する。
【００２８】
表示制御部３２は、選択部３０によって選択された入力欄３４に新たに情報が入力される前に、選択部３０によって選択された入力欄３４に関する表示を制御するように、表示部２４を制御する。従って、表示部２４は、例えば、入力欄３４を強調表示したり、入力欄３４に付随して候補情報４２を表示したり、入力欄３４に付随してメッセージを表示したりする。
【００２９】
「選択部３０によって選択された入力欄３４に新たに情報が入力される前」は、例えば、「画面が特定画面（例えばホーム画面）から入力画面ＳＣに遷移した直後であって、入力欄３４に情報が入力される前」を示す。
【００３０】
以上、図１及び図２を参照して説明したように、本実施形態によれば、表示制御部３２は、入力不備の発生回数に基づいて選択された入力欄３４に関する表示を制御する。従って、全ての入力欄３４に関する表示を制御する場合と比較して、入力欄３４の表示を制御するためのデータのデータ量を削減できる。加えて、表示制御部３２は、入力不備が比較的多かった入力欄３４に新たに情報が入力される前に、入力欄３４に関する表示を制御することができる。その結果、入力欄３４への情報の入力不備が発生することを抑制できる。すなわち、画像形成装置２は、ユーザーによる入力欄３４への入力を支援しつつ、入力欄３４に関する表示のために要求されるデータのデータ量を削減できる。
【００３１】
特に、本実施形態では、選択部３０は、複数の入力欄３４のうち、入力不備の発生回数が最も多い入力欄３４を選択する。そして、表示制御部３２は、選択部３０によって選択された入力欄３４に新たに情報が入力される前に、選択部３０によって選択された入力欄３４に関する表示を制御するように、表示部２４を制御する。つまり、入力不備の発生回数が最も多い入力欄３４に関する表示が制御される。
【００３２】
従って、本実施形態によれば、全ての入力欄３４に関する表示を制御する場合と比較して、入力欄３４の表示を制御するためのデータのデータ量をさらに削減できる。加えて、表示制御部３２が入力不備の発生回数が最も多い入力欄３４に関する表示を制御することで、ユーザーによる入力欄３４への入力を効率的に支援できる。
【００３３】
なお、選択部３０は、複数の入力欄３４のうち、入力不備の発生回数が相対的に多い入力欄３４を選択してもよい。この場合も、全ての入力欄３４に関する表示を制御する場合と比較して、入力欄３４の表示を制御するためのデータのデータ量をさらに削減できる。加えて、入力不備の発生回数が相対的に多い入力欄３４に関する表示を制御することで、ユーザーによる入力欄３４への入力を効率的に支援できる。
【００３４】
例えば、選択部３０は、複数の入力欄３４のうち、入力不備の発生回数が閾値以上の入力欄３４を選択してもよい。ユーザーは、表示操作部１０を操作して、「閾値」を変更できる。例えば、選択部３０は、複数の入力欄３４のうち、入力不備の発生回数が多い順に１番目からＮ（２以上の整数）番目までの入力欄３４を選択してもよい。
【００３５】
次に、図３を参照して、具体例を挙げて入力画面ＳＣを説明する。図３は、表示部２４に表示された入力画面ＳＣを示す図である。
【００３６】
図３に示すように、入力画面ＳＣは、タイトル欄４０と、入力欄３４Ａと、入力欄３４Ｂと、入力欄３４Ｃと、メッセージ４１と、候補情報４２と、設定ボタン４４と、ホームボタン４６とを含む。
【００３７】
タイトル欄４０は、入力画面ＳＣによる設定事項のタイトルを含む。例えば、ユーザーが、画像形成装置２と外部機器とのネットワーク接続を設定する場合、タイトル欄４０には、「ネットワーク設定」と表示される。
【００３８】
入力欄３４Ａは、例えば、プロトコルのＯＮとＯＦＦとを切り替える２つのラジオボタンを含む。入力欄３４Ａに関連付けられた入力条件は、２つのラジオボタンのうちのいずれか１つにチェックが入っていることである。図３の例では、入力欄３４Ａは、項目「プロトコル」の情報を入力する欄である。
【００３９】
入力欄３４Ｂは、例えば、サーバー名を入力するための入力欄であり、テキストデータが入力される。入力欄３４Ｂに関連付けられた入力条件は、互いに異なる第１条件と第２条件とを含む。第１条件は、入力欄３４Ｂだけで定まる条件である。例えば、第１条件は、入力欄３４Ｂに入力される情報が数字及びピリオドだけからなることである。第１条件は、桁数に関する条件を含んでいてもよい。第２条件は、他の入力欄３４Ａとの関連で定まる条件である。例えば、第２条件は、入力欄３４ＡにおいてＯＮを示すラジオボタンにチェックが入っている場合に、入力欄３４Ｂに入力される情報が空白を示す情報でないことである。図３の例では、入力欄３４Ｂは、項目「サーバー名」の情報を入力する欄である。
【００４０】
入力欄３４Ｃは、例えば、ポート番号を入力するための入力欄であり、テキストデータが入力される。入力欄３４Ｃに関連付けられた入力条件は、互いに異なる第３条件と第４条件とを含む。第３条件は、入力欄３４Ｃだけで定まる条件である。例えば、第３条件は、入力欄３４Ｃに入力される情報が数字だけからなることである。第３条件は、桁数に関する条件を含んでいてもよい。第４条件は、他の入力欄３４Ａとの関連で定まる条件である。例えば、第４条件は、入力欄３４ＡにおいてＯＮを示すラジオボタンにチェックが入っている場合に、入力欄３４Ａに入力される情報が空白を示す情報でないことである。図３の例では、入力欄３４Ｃは、項目「ポート番号」の情報を入力する欄である。
【００４１】
なお、入力欄３４が空白の場合には、入力欄３４に空白を示す情報が入力されている。
【００４２】
設定ボタン４４は、ユーザーが入力欄３４Ａ〜入力欄３４Ｃに対する入力を確定するためのボタンである。具体的には、入力欄３４Ａ〜入力欄３４Ｃに入力された全ての情報が入力条件を満足している場合に設定ボタン４４が押下されると、入力欄３４Ａ〜入力欄３４Ｃに入力された情報が画像形成装置２に設定される。そして、表示部２４はホーム画面を表示する。一方、入力欄３４Ａ〜入力欄３４Ｃに入力された情報のうちの少なくとも１つの情報が入力条件を満足していない場合に設定ボタン４４が押下されると、入力欄３４Ａ〜入力欄３４Ｃに入力された情報が画像形成装置２に設定されることなく、表示部２４が再び入力画面ＳＣを表示する。
【００４３】
ホームボタン４６は、入力画面ＳＣからホーム画面（不図示）に遷移するためのボタンである。従って、ホームボタン４６が押下されると、表示部２４はホーム画面を表示する。ホームボタン４６が押下された場合は、入力欄３４Ａ〜入力欄３４Ｃに入力された情報が確定することなく破棄される。
【００４４】
メッセージ４１は、過去に入力不備の多かった入力欄３４であることを示すメッセージ４１を表示する。例えば、前回までの「ネットワーク設定」において、入力欄３４Ｂの入力不備が所定回数以上であるとき、メッセージ４１は、入力欄３４Ｂに付随して、「入力の間違いが多い項目です。」の情報を表示する。
【００４５】
次に、図２及び図３を参照して、表示制御部３２が、選択部３０によって選択された入力欄３４を強調表示する場合について説明する。
【００４６】
図２及び図３に示すように、例えば、入力不備の発生回数が最も多い入力欄３４が入力欄３４Ｂである場合、選択部３０は、入力欄３４Ｂを選択する。従って、表示制御部３２は、選択部３０によって選択された入力欄３４Ｂに新たに情報が入力される前に、選択部３０によって選択された入力欄３４Ｂを、他の入力欄３４Ｃよりも強調して表示するように、表示部２４を制御する。そして、表示部２４は、入力欄３４Ｂを強調して表示する。例えば、表示部２４は、入力欄３４Ｂの色彩を白色から特定色に変更することで、入力欄３４Ｂを白色の入力欄３４Ｃよりも強調して表示する。特定色は、白色及び黒色を除く色彩であり、例えば、淡色（例えば、淡青色、グレー色）である。
【００４７】
本実施形態によれば、入力不備が最も多い入力欄３４Ｂが強調して表示されることで、入力不備が最も多いことを、ユーザーに視覚的に注意喚起することができる。その結果、ユーザーによる情報の入力不備を抑制することができる。
【００４８】
なお、例えば、入力不備の発生回数が相対的に多い入力欄３４が入力欄３４Ｂである場合に、選択部３０は、入力欄３４Ｂを選択してもよい。この場合、表示制御部３２は、選択部３０によって選択された入力欄３４Ｂに新たに情報が入力される前に、選択部３０によって選択された入力欄３４Ｂを、他の入力欄３４Ｃよりも強調して表示するように、表示部２４を制御する。そして、表示部２４は、入力欄３４Ｂを強調して表示する。従って、入力不備が比較的多いことを、ユーザーに視覚的に注意喚起することができる。その結果、ユーザーによる情報の入力不備を効果的に抑制することができる。
【００４９】
引き続き、図２及び図３を参照して、表示制御部３２が、選択部３０によって選択された入力欄３４に付随して候補情報４２を表示する場合について説明する。候補情報４２は、選択部３０によって選択された入力欄３４に過去に正しく入力された直近の情報を示す。
【００５０】
図２及び図３に示すように、例えば、入力不備の発生回数が最も多い入力欄３４が入力欄３４Ｂである場合、選択部３０は、入力欄３４Ｂを選択する。従って、表示制御部３２は、選択部３０によって選択された入力欄３４に新たに情報が入力される前に、選択部３０によって選択された入力欄３４に付随して候補情報４２を表示するように、表示部２４を制御する。そして、表示部２４は、入力欄３４Ｂに付随して候補情報４２を表示する。候補情報４２は、図３の例では、選択部３０によって選択された入力欄３４に過去に正しく入力された直近の「ＩＰアドレス（１２．３４５．６７８．９０１）」である。
【００５１】
本実施形態によれば、ユーザーに対して、候補情報４２によって入力欄３４に入力すべき正しい情報をガイドすることができる。なお、例えば、入力不備の発生回数が相対的に多い入力欄３４が入力欄３４Ｂである場合に、選択部３０が入力欄３４Ｂを選択して、表示部２４が入力欄３４Ｂに付随して候補情報４２を表示してもよい。
【００５２】
引き続き、図２及び図３を参照して、表示制御部３２が、選択部３０によって選択された入力欄３４に付随してメッセージ４１を表示する場合について説明する。メッセージ４１は、入力欄３４が、過去に入力不備の多かったことを示す。
【００５３】
図２及び図３に示すように、例えば、入力不備の発生回数が最も多い入力欄３４が入力欄３４Ｂである場合、選択部３０は、入力欄３４Ｂを選択する。従って、表示制御部３２は、選択部３０によって選択された入力欄３４に新たに情報が入力される前に、過去に入力不備の多かった入力欄３４であることを示すメッセージ４１を、選択部３０によって選択された入力欄３４に付随して表示するように、表示部２４を制御する。
【００５４】
本実施形態によれば、ユーザーに対して、メッセージ４１によって入力不備が多かった入力欄３４Ｂであることの注意を促すことができる。従って、ユーザーによる入力不備を効果的に抑制することができる。
【００５５】
なお、例えば、入力不備の発生回数が相対的に多い入力欄３４が入力欄３４Ｂである場合に、選択部３０が入力欄３４Ｂを選択して、表示部２４が入力欄３４Ｂに付随してメッセージ４１を表示してもよい。
【００５６】
なお、入力欄３４を強調して表示することと、入力欄３４に付随して候補情報４２を表示することと、入力欄３４に付随してメッセージ４１を表示することとのうち、少なくとも１つの表示が実行されればよく、３種類の表示のうちの２種類の表示が実行されてもよい。
【００５７】
次に、図２を参照して、制御部１２の計数部２８を説明する。
【００５８】
図２に示すように、計数部２８は、第１判定部３６と、第２判定部３７と、複数のカウンター３８とを含む。具体的には、制御部１２のプロセッサーが、記憶部３９の記憶装置に記憶されたコンピュータープログラムを実行することによって、第１判定部３６、第２判定部３７、及び複数のカウンター３８として機能する。
【００５９】
第１判定部３６は、複数の入力欄３４ごとに判定処理を実行する。第２判定部３７は、複数の入力欄３４ごとに判定処理を実行する。複数のカウンター３８は、複数の入力欄３４にそれぞれ対応する。つまり、複数の入力欄３４ごとにカウンター３８が割り当てられる。複数のカウンター３８の各々は、複数の入力欄３４のうち対応する入力欄３４に対する情報の入力不備の発生回数を計数する。
【００６０】
具体的には、第１判定部３６は、入力欄３４ごとに、入力欄３４に入力された情報が、入力欄３４に関連付けられた入力条件を満足するか否かを判定する。そして、入力欄３４に入力された情報が、入力条件を満足しないと判定したときに、第１判定部３６は、入力条件を満足しない情報を入力欄３４と関連付けて記憶するように、記憶部３９を制御する。そして、記憶部３９は、入力条件を満足しない情報を入力欄３４と関連付けて記憶する。
【００６１】
第２判定部３７は、入力条件を満足しない情報が記憶部３９に記憶された後に、入力欄３４に入力された情報が、入力条件を満足すると判定されたときに、入力条件を満足する情報と入力条件を満足しない情報とが一致するか否かを判定する。この場合、入力条件を満足する情報は、入力欄３４に入力されている最新の情報である。また、入力条件を満足しない情報は記憶部３９に記憶されている前回の情報である。そして、第２判定部３７は、入力条件を満足する情報と入力条件を満足しない情報とが一致しないと判定されたときに、入力欄３４に対応するカウンター３８の計数値が所定値だけ増加するように、カウンター３８を制御する。典型的には、「所定値」は「１」である。カウンター３８の計数値は、入力欄３４に対する入力不備の発生回数を示す。
【００６２】
本実施形態によれば、第２判定部３７は、入力条件を満足する最新の情報と入力条件を満足しない前回の情報とが一致するか否かの判定結果に基づいてカウンター３８を制御している。つまり、第２判定部３７は、入力条件を満足する最新の情報と入力条件を満足しない前回の情報とが一致するか否かの判定結果に基づいて、入力欄３４に対して入力不備が発生したか否かを判定している。従って、入力欄３４に入力不備が発生したか否かを精度良く判定できる。精度の良い判定が可能な理由の詳細は後述する。
【００６３】
さらに、本実施形態では、第２判定部３７は、候補情報４２を記憶するように記憶部３９を制御する。そして、記憶部３９は候補情報４２を記憶する。「候補情報」は、複数の入力欄３４の各々に入力されている情報が入力条件を満足しているときに、複数のカウンター３８のうち最も大きな計数値を有するカウンター３８に対応する入力欄３４に入力されている情報を示す。つまり、「候補情報」は、複数の入力欄３４に入力されている全ての情報が入力条件を満足しているときに、複数のカウンター３８のうち最も大きな計数値を有するカウンター３８に対応する入力欄３４に入力されている情報を示す。図３に示す候補情報４２は「候補情報」の一例である。
【００６４】
選択部３０は、複数の入力欄３４のうち、最も大きな計数値を有するカウンター３８に対応する入力欄３４を選択する。そして、表示制御部３２は、選択部３０によって選択された入力欄３４に新たに情報が入力される前に、選択部３０によって選択された入力欄３４に付随して候補情報４２を表示するように、表示部２４を制御する。そして、表示部２４は、候補情報４２を表示する。
【００６５】
本実施形態によれば、入力不備の発生回数が最も多い入力欄３４が選択され、選択された入力欄３４に付随して候補情報４２が表示される。従って、ユーザーに対して、候補情報４２によって入力欄３４に入力すべき正しい情報を効率的にガイドすることができる。また、全ての入力欄３４に対して多数の候補情報４２を用意して表示する場合と比較して、記憶部３９に記憶するデータのテータ量を削減できる。
【００６６】
次に、図２及び図４〜図８を参照して、入力不備の発生回数の計数処理の具体例を説明する。
【００６７】
図４（ａ）は、表示部２４に表示された入力画面ＳＣを示す図である。図４（ｂ）は、記憶部３９に記憶された情報を示す図である。
【００６８】
図４（ａ）に示すように、ユーザーは、入力画面ＳＣを介して画像形成装置２に対してネットワーク設定を行う。過去には、複数のユーザーが画像形成装置２のネットワーク設定を行っており、何人かのユーザーが、入力欄３４に入力条件を満足しない情報を入力している。従って、最も入力不備の発生回数が多い入力欄３４Ｂが、網斜線で示すように強調して表示されている。加えて、入力欄３４Ｂに付随してメッセージ４１及び候補情報４２が表示されている。従って、本実施形態では、入力不備が発生することを効果的に抑制できる。
【００６９】
ただし、ユーザーは人間であるため、入力不備が発生することもあり得る。以下、本実施形態の理解を容易にするために、入力不備が発生したことを例示して説明する。
【００７０】
例えば、入力欄３４Ｂの項目が「サーバー名」であるため、ユーザーは、入力欄３４Ｂに、ＩＰアドレスではなく、サーバーの名称を入力する場合があり得る。一例として、ユーザーは、入力欄３４ＡのＯＮを示すラジオボタンにチェックを入れた後、入力欄３４Ｂに、サーバーの名称「ＳｅｒｖｅｒＸ」を入力し、入力欄３４Ｃにポート番号「５１１１」を入力する。そして、ユーザーは、入力欄３４Ｂに情報「ＳｅｒｖｅｒＸ」を入力したまま、設定ボタン４４（図３）を押下して、入力画面ＳＣに対する入力を確定する。
【００７１】
入力画面ＳＣに対する入力が確定されると、図２に示す第１判定部３６は、入力欄３４Ａ〜入力欄３４Ｃの各々に入力された情報が入力条件を満足するか否かを判定する。例えば、第１判定部３６は、入力欄３４Ａに入力された情報が入力欄３４Ａに関連付けられた入力条件を満足すると判定し、入力欄３４Ｃに入力された情報が入力欄３４Ｃに関連付けられた入力条件を満足すると判定する。そして、例えば、第１判定部３６は、入力欄３４Ｂに入力された情報「ＳｅｒｖｅｒＸ」が、入力欄３４Ｂに関連付けられた入力条件（具体的には第１条件）を満足しないと判定すると、入力条件を満足しない情報「ＳｅｒｖｅｒＸ」を記憶するように、記憶部３９を制御する。従って、図４（ｂ）に示すように、記憶部３９は、入力条件を満足しない情報「ＳｅｒｖｅｒＸ」を記憶する。
【００７２】
図５は、カウンター３８Ａ〜カウンター３８Ｃを示す図である。図５は、図４（ａ）で設定ボタン４４が押下されて、入力画面ＳＣに対する入力が確定した直後のカウンター３８Ａ〜カウンター３８Ｃの計数値を示している。図４（ａ）及び図５に示すように、「プロトコル」の項目は入力欄３４Ａに対応し、入力欄３４Ａはカウンター３８Ａに対応する。「サーバー名」の項目は入力欄３４Ｂに対応し、入力欄３４Ｂはカウンター３８Ｂに対応する。「ポート番号」の項目は入力欄３４Ｃに対応し、入力欄３４Ｃはカウンター３８Ｃに対応する。
【００７３】
カウンター３８Ａの計数値は、例えば、「０」である。つまり、入力欄３４Ａに対する誤入力の発生回数はゼロ回である。カウンター３８Ｂの計数値は、例えば、「２０」である。つまり、入力欄３４Ｂに対する誤入力の発生回数は２０回である。カウンター３８Ｃの計数値は、例えば、「１」である。つまり、入力欄３４Ｃに対する誤入力の発生回数は１回である。
【００７４】
図４（ａ）に示す入力画面ＳＣに対する入力が確定した後に、第１判定部３６が、入力欄３４Ｂに入力された情報「ＳｅｒｖｅｒＸ」が、入力欄３４Ｂに関連付けられた入力条件（具体的には第１条件）を満足しないと判定すると、表示制御部３２は、図６（ａ）に示すように、入力画面ＳＣを再び表示するように表示部２４を制御する。
【００７５】
図６（ａ）は、表示部２４に再び表示された入力画面ＳＣを示す図である。図６（ｂ）は、記憶部３９に記憶された情報を示す図である。
【００７６】
図６（ａ）に示すように、表示部２４は、再び入力画面ＳＣを表示する。この場合、表示部２４は、入力条件を満足していなかった情報「ＳｅｒｖｅｒＸ」を消去して、入力欄３４Ｂに情報を入力可能な状態にする。一方、図６（ｂ）に示すように、記憶部３９は、入力条件を満足しない情報「ＳｅｒｖｅｒＸ」の記憶を維持する。
【００７７】
図７（ａ）は、表示部２４に表示された入力画面ＳＣを示す図である。図７（ｂ）は、記憶部３９に記憶された情報を示す図である。図８は、カウンター３８Ａ〜カウンター３８Ｃを示す図である。
【００７８】
図６（ａ）に示す入力画面ＳＣが表示されて、図７（ａ）に示すように、一例として、ユーザーは、入力欄３４Ｂに、ＩＰアドレス「１２．３４５．６７８．９０１」を入力する。そして、ユーザーは、設定ボタン４４（図３）を押下して、入力画面ＳＣに対する入力を確定する。
【００７９】
入力画面ＳＣに対する入力が確定されると、図２に示す第１判定部３６は、入力欄３４Ａ〜入力欄３４Ｃの各々に入力された情報が入力条件を満足するか否かを判定する。例えば、第１判定部３６は、入力欄３４Ａに入力された情報が入力欄３４Ａに関連付けられた入力条件を満足すると判定し、入力欄３４Ｃに入力された情報が入力欄３４Ｃに関連付けられた入力条件を満足すると判定する。そして、例えば、第１判定部３６は、入力欄３４Ｂに入力された情報「１２．３４５．６７８．９０１」が、入力欄３４Ｂに関連付けられた入力条件を満足していると判定する。
【００８０】
第１判定部３６が入力欄３４Ａ〜入力欄３４Ｃに入力された全ての情報が入力条件を満足していると判定すると、図２に示す第２判定部３７は、入力欄３４Ｂに今回入力された、入力条件を満足する情報「１２．３４５．６７８．９０１」と、入力欄３４Ｂに前回入力された、入力条件を満足しない情報「ＳｅｒｖｅｒＸ」とが一致するか否かを判定する。入力欄３４Ｂに前回入力された、入力条件を満足しない情報「ＳｅｒｖｅｒＸ」は、図６（ｂ）に示すように、記憶部３９に記憶されている情報である。
【００８１】
入力条件を満足する情報「１２．３４５．６７８．９０１」と入力条件を満足しない情報「ＳｅｒｖｅｒＸ」とが一致しないと判定されたときに、図８に示すように、第２判定部３７は、入力欄３４Ｂに対応するカウンター３８Ｂの計数値が１つだけ増加するように、カウンター３８Ｂを制御する。その結果、カウンター３８Ｂの計数値が、「２０」（図５）から、「２１」（図８）に増加する。カウンター３８Ｂの計数値は、入力欄３４Ｂに対する入力不備の発生回数を示す。
【００８２】
そして、第２判定部３７は、カウンター３８Ａ〜カウンター３８Ｃのうち最も大きな計数値を有するカウンター３８Ｂに対応する入力欄３４Ｂに入力されている情報「１２．３４５．６７８．９０１」を候補情報４２として記憶するように、記憶部３９を制御する。その結果、図７（ｂ）に示すように、記憶部３９は、情報「１２．３４５．６７８．９０１」を候補情報４２として記憶する。
【００８３】
従って、本実施形態によれば、最も大きな計数値を有するカウンター３８Ｂに対応する入力欄３４Ｂに付随して候補情報４２が表示される。従って、ユーザーは、最も入力不備が多い入力欄３４Ｂを認識できる。ユーザーは、候補情報４２に支援されながら入力欄３４Ｂに情報を入力できるので、入力条件を満足しない情報が入力欄３４Ｂに入力されることが抑制される。
【００８４】
なお、図７（ａ）に示す入力画面ＳＣにおいて、設定ボタン４４が押下されて入力画面ＳＣに対する入力が確定すると、画像形成装置２は、入力欄３４Ａ〜入力欄３４Ｃに入力された情報を画像形成装置２に設定し、ネットワーク設定を完了する。そして、次回、ユーザーが、ネットワーク設定を行う際、表示部２４は、入力欄３４Ｂに対して、強調表示と候補情報４２とメッセージ４１とのうちの少なくとも１つを付与した入力画面ＳＣを表示する。
【００８５】
次に、図３及び図９を参照して、入力条件を満足する最新の情報と入力条件を満足しない前回の情報とが一致するか否かの判定結果に基づいて入力不備が発生したか否かを判定している理由について具体例を挙げて説明する。図９は、表示部２４に表示される入力画面ＳＣを示す図である。
【００８６】
図３に示すように、前回の入力画面ＳＣの「ネットワーク設定」において、ユーザーが、例えば、入力欄３４ＡのＯＮを示すラジオボタンにチェックを入れて、入力欄３４Ｂ及び入力欄３４Ｃを空白にして、設定ボタン４４を押下する。この場合、入力欄３４Ａに入力された情報は、入力欄３４Ａに関連付けられた入力条件を満足する。一方、入力欄３４Ｂに入力された情報は、入力欄３４Ｂに関連付けられた入力条件（第１条件及び第２条件）を満足しない。また、入力欄３４Ｃに入力された情報は、入力欄３４Ｃに関連付けられた入力条件（第３条件及び第４条件）を満足しない。
【００８７】
従って、仮に、前回の入力画面ＳＣの入力結果だけに基づいて、入力不備が発生したか否かを判定すると、入力欄３４Ｂ及び入力欄３４Ｃに入力不備があると判定されて、カウンター３８Ｂ及びカウンター３８Ｃの各々の計数値が１つだけ増加される。
【００８８】
しかしながら、ユーザーにとっては、入力欄３４Ｂ及び入力欄３４Ｃを空白にすることが入力不備ではないことがある。つまり、ユーザーが、空白の入力欄３４Ｂ及び入力欄３４Ｃを入力不備ではないと認識していることがある。
【００８９】
そこで、制御部１２の第２判定部３７は、入力条件を満足する最新の情報と入力条件を満足しない前回の情報とが一致するか否かの判定結果に基づいて入力不備が発生したか否かを判定する。すなわち、図９に示すように、今回の入力画面ＳＣの「ネットワーク設定」において、ユーザーが、例えば、入力欄３４ＡのＯＦＦを示すラジオボタンにチェックを入れて、入力欄３４Ｂ及び入力欄３４Ｃを空白にしたまま、設定ボタン４４を押下する。この場合、入力欄３４Ａに入力された情報だけでなく、入力欄３４Ｂに入力された情報が入力条件（第１条件及び第２条件）満足するとともに、入力欄３４Ｃに入力された情報が入力条件（第３条件及び第４条件）満足する。
【００９０】
従って、入力欄３４Ｂについて、入力条件を満足する最新の情報（空白を示す情報）と入力条件を満足しない前回の情報（空白を示す情報）とが一致する。その結果、第２判定部３７は、入力欄３４Ｂに入力不備が発生していないと判定して、カウンター３８Ｂの計数値を維持する。加えて、入力欄３４Ｃについても、入力条件を満足する最新の情報（空白を示す情報）と入力条件を満足しない前回の情報（空白を示す情報）とが一致する。従って、第２判定部３７は、入力欄３４Ｃに入力不備が発生していないと判定して、カウンター３８Ｃの計数値を維持する。
【００９１】
その結果、第２判定部３７による入力不備か否かの判定結果と、ユーザーによる入力不備か否かの認識とを一致させることができる。よって、入力欄３４に入力不備が発生したか否かを精度良く判定できる。また、ユーザーが入力不備を起こし易い入力欄３４の表示をより好適に制御できる。
【００９２】
次に、図２及び図１０〜図１２を参照して、画像形成装置２の動作を説明する。図１０〜図１２は、画像形成装置２の動作を示すフローチャートである。図１０〜図１２に示すように、処理はステップＳ１０からステップＳ４２を含む。画像形成装置２の制御部１２は、ステップＳ１０からステップＳ４２の処理を実行する。具体的には次の通りである。
【００９３】
図２及び図１０に示すように、まず、ステップＳ１０において、制御部１２の表示制御部３２は、入力画面ＳＣを表示するように表示部２４を制御する。その結果、表示部２４は、入力画面ＳＣを表示する。処理は、ステップＳ１２に進む。
【００９４】
次に、ステップＳ１２において、制御部１２の選択部３０は、１以上の計数値を有するカウンター３８があるか否かを判定する。１以上の計数値を有するカウンター３８があると判定された場合（ステップＳ１２でＹｅｓ）、処理は、ステップＳ１３に進む。一方、１以上の計数値を有するカウンター３８がないと判定された場合（ステップＳ１２でＮｏ）、処理は、ステップＳ１６に進む。
【００９５】
ステップＳ１３において、選択部３０は、計数値の最も大きいカウンター３８に対応する入力欄３４を選択する。処理は、ステップＳ１４に進む。なお、選択部３０は、計数値が相対的に多いカウンター３８に対応する入力欄３４を選択してもよい。
【００９６】
次に、ステップＳ１４において、表示制御部３２は、ステップＳ１３で選択された入力欄３４を強調して表示することを実行するように、表示部２４を制御する。その結果、表示部２４は、入力欄３４を強調して表示する。また、表示制御部３２は、ステップＳ１３で選択された入力欄３４に付随して候補情報４２を表示することを実行するように、表示部２４を制御する。その結果、表示部２４は、候補情報４２を表示する。さらに、表示制御部３２は、ステップＳ１３で選択された入力欄３４に付随してメッセージ４１を表示することを実行するように、表示部２４を制御する。その結果、表示部２４は、メッセージ４１を表示する。処理は、ステップＳ１６に進む。
【００９７】
次に、ステップＳ１６において、表示制御部３２は、入力欄３４ごとに、入力部２６を介して入力欄３４へのユーザーからの情報の入力を受け付ける。そして、表示制御部３２は、ユーザーが入力した情報を入力欄３４に表示するように、表示部２４を制御する。その結果、表示部２４は、ユーザーが入力した情報を入力欄３４に表示する。処理は、ステップＳ１８に進む。
【００９８】
次に、ステップＳ１８において、制御部１２の第１判定部３６は、入力欄３４ごとに、入力欄３４に入力された情報が、入力欄３４に関連付けられた入力条件を満足するか否かを判定する。
【００９９】
ステップＳ１８において、全ての入力欄３４について、入力された情報が入力条件を満足すると判定された場合（ステップＳ１８でＹｅｓ）、処理は、図１２のステップＳ３２に進む。一方、少なくとも１つの入力欄３４について、入力条件を満足しないと判定された場合（ステップＳ１８でＮｏ）、処理は、図１１のステップＳ２０に進む。
【０１００】
ステップＳ１８でＮｏの場合、ステップＳ２０において、第１判定部３６は、修正フラグに「１」を設定する。修正フラグは、入力欄３４に入力された情報が入力条件を満足しているか否かを示す。修正フラグに「１」が設定されていることは、入力欄３４に入力された情報が入力条件を満足していないことを示す。一方、修正フラグに「０」が設定されていることは、入力欄３４に入力された情報が入力条件を満足していることを示す。また、修正フラグは、入力画面ＳＣに対して１つ用意されている。従って、入力画面ＳＣに含まれる複数の入力欄３４のうちの少なくとも１つの入力欄３４において、入力された情報が入力条件を満足していない場合には、修正フラグに「１」が設定される。一方、入力画面ＳＣに含まれる複数の入力欄３４の全ての入力欄３４において、入力された情報が入力条件を満足している場合に、修正フラグに「０」が設定される。処理は、ステップＳ２２に進む。
【０１０１】
ステップＳ２２において、第１判定部３６は、「入力条件を満足していない情報」を一時保存するように記憶部３９を制御する。その結果、記憶部３９は、「入力条件を満足していない情報」を一時保存する。処理は、ステップＳ２４に進む。
【０１０２】
ステップＳ２４において、表示制御部３２は、警告を表すメッセージ４１を表示するように表示部２４を制御する。その結果、表示部２４はメッセージ４１を表示する。メッセージ４１は、入力欄３４に入力された情報が入力条件を満足していないことを示す警告のメッセージである。処理は、ステップＳ２６に進む。
【０１０３】
ステップＳ２６において、第１判定部３６は、入力欄３４ごとに、入力欄３４に情報が再入力されたか否かを判定する。
【０１０４】
ステップＳ２６において、入力欄３４に情報が再入力されたと判定された場合（ステップＳ２６でＹｅｓ）、処理は、図１０のステップＳ１８に進む。一方、入力欄３４に情報が再入力されていないと判定された場合（ステップＳ２６でＮｏ）、処理は、ステップＳ２８に進む。
【０１０５】
ステップＳ２６でＮｏの場合、ステップＳ２８において、第１判定部３６は、ステップＳ２２で記憶された「入力条件を満足していない情報」を破棄するように記憶部３９を制御する。その結果、記憶部３９は、「入力条件を満足していない情報」を破棄する。処理は、ステップＳ３０に進む。
【０１０６】
ステップＳ３０において、第１判定部３６は、修正フラグに「０」を設定する。ステップＳ３０の後、処理は終了する。
【０１０７】
一方、ステップＳ２６でＹｅｓと判定された後の図１０のステップＳ１８でＹｅｓの場合、または、図１０のステップＳ１６の後のステップＳ１８でＹｅｓの場合、処理は、図１２に示すステップＳ３２に進む。ステップＳ３２において、第２判定部３７は、修正フラグが「０」に設定されているか、または、「１」に設定されているかを判定する。修正フラグが「０」に設定されていると判定された場合、処理は、ステップＳ３８に進む。一方、修正フラグが「１」に設定されていると判定された場合、処理は、ステップＳ３４に進む。
【０１０８】
ステップＳ３２において、修正フラグが「０」に設定されていると判定された場合、ステップＳ３８において、選択部３０は、１以上の計数値を有するカウンター３８がある場合には、最も大きな計数値を有するカウンター３８に対応する入力欄３４を選択する。処理は、ステップＳ４０に進む。
【０１０９】
ステップＳ４０において、第２判定部３７は、候補情報４２を記憶するように、記憶部３９を制御する。その結果、記憶部３９は候補情報４２を記憶する。候補情報４２は、ステップＳ３８で選択された入力欄３４に入力されている情報である。処理は、ステップＳ４２に進む。
【０１１０】
次に、ステップＳ４２において、制御部１２は、入力画面ＳＣに含まれる複数の入力欄３４に入力された情報を画像形成装置２に設定する。ステップＳ４２の後、処理は終了する。
【０１１１】
一方、ステップＳ３２において、修正フラグが「１」に設定されていると判定された場合、ステップＳ３４において、第２判定部３７は、第１情報と、第２情報とが一致するか否かを判定する。第１情報は、ステップＳ１８で入力条件を満足すると判定された情報を示す。換言すれば、第１情報は、入力条件を満足する最新の情報である。さらに換言すれば、第１情報は、入力欄３４に今回入力された情報であって、入力条件を満足する情報である。第２情報は、ステップＳ２２で記憶された情報を示す。換言すれば、第２情報は、入力条件を満足しない前回の情報である。さらに換言すれば、第２情報は、入力欄３４に前回入力された情報であって、入力条件を満足しない情報である。第２情報が入力されていた入力欄３４は、第１情報が入力されている入力欄３４と同じである。
【０１１２】
ステップＳ３４において、第１情報と第２情報とが一致すると判定された場合（ステップＳ３４でＹｅｓ）、処理は、ステップＳ３８に進む。第１情報と第２情報とが一致しないと判定された場合（ステップＳ３４でＮｏ）、処理は、ステップＳ３６に進む。
【０１１３】
ステップＳ３４でＮｏの場合、ステップＳ３６において、第２判定部３７は、一致しないと判定された新しい第１情報が入力されている入力欄３４に対応するカウンター３８の計数値を「１」だけ増加するように、カウンター３８を制御する。その結果、カウンター３８は計数値を「１」だけ増加する。そして、処理は、ステップＳ３８に進み、ステップＳ３８、ステップＳ４０、及びステップＳ４２の処理の後、処理は終了する。
【０１１４】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、本実施形態に示される全構成要素から幾つかの構成要素を削除してもよい。さらに、異なる本実施形態にわたる構成要素を適宜組み合わせてもよい。図面は、理解しやすくするために、それぞれの構成要素を主体に模式的に示しており、図示された各構成要素の個数等は、図面作成の都合上から実際とは異なる。また、上記の実施形態で示す各構成要素の形状等は一例であって、特に限定されるものではなく、本発明の構成から実質的に逸脱しない範囲で種々の変更が可能である。
【産業上の利用可能性】
【０１１５】
本発明は、画像形成装置の分野に利用可能である。
【符号の説明】
【０１１６】
２          画像形成装置
４          画像形成部
６          読取部
８          原稿搬送装置
１０        表示操作部
１２        制御部
１４        給送部
１６        搬送部
１８        定着部
１９        排出部
２０        原稿トレイ
２４        表示部
２６        入力部
２８        計数部
３０        選択部
３２        表示制御部
【図１】
2020107048.tif 000003
【図２】
2020107048.tif 000004
【図３】
2020107048.tif 000005
【図４】
2020107048.tif 000006
【図５】
2020107048.tif 000007
【図６】
2020107048.tif 000008
【図７】
2020107048.tif 000009
【図８】
2020107048.tif 000010
【図９】
2020107048.tif 000011
【図１０】
2020107048.tif 000012
【図１１】
2020107048.tif 000013
【図１２】
2020107048.tif 000014